(57)【要約】【課題】  スクリーン版と被印刷物とのクリアランスを大きくすることなく版離れ性を向上させることができ、しかも印刷精度をさらに向上させることができるスクリーン印刷方法の提供。【解決手段】  版枠１６の内側にスクリーン１７を設けたスクリーン版１１を被印刷物２３の上側に間隔をあけて配置し、横移動するスキージ２９によってスクリーン１７を被印刷物２３に押し付けながら印刷ペースト３２をスクリーン１７を介して被印刷物２３に塗布する方法で、スクリーン版１１の版枠１６をスキージ２９の横移動方向における刷り始め側に対し刷り終わり側が下側となるように被印刷物２３に対し傾斜させて配置し、スキージ２９の移動に連動してスクリーン版１１を、版枠１６の前記傾斜を維持した状態で被印刷物２３から離間させる。【選択図】        図４
2006123327.tif 000002
【特許請求の範囲】
【請求項１】
版枠の内側にスクリーンを設けたスクリーン版を被印刷物の上側に間隔をあけて配置し、横移動するスキージによって前記スクリーンを前記被印刷物に押し付けながら印刷ペーストを前記スクリーンを介して前記被印刷物に塗布するスクリーン印刷方法において、
前記スクリーン版の前記版枠を前記スキージの横移動方向における刷り始め側に対し刷り終わり側が下側となるように前記被印刷物に対し傾斜させて配置し、前記スキージの横移動に連動して前記スクリーン版を、前記版枠の前記傾斜を維持した状態で前記被印刷物から離間させることを特徴とするスクリーン印刷方法。
【請求項２】
前記スキージの横移動方向における刷り始めの位置と刷り終わりの位置とで、前記スキージが離れた状態において前記スクリーンと前記被印刷物との離間距離が等しくなるように前記スクリーン版を前記被印刷物から離間させることを特徴とする請求項１記載のスクリーン印刷方法。
【発明の詳細な説明】
【技術分野】
【０００１】
本発明は、スクリーン印刷方法に関する。
【背景技術】
【０００２】
スクリーン印刷には、横移動するスキージによってスクリーン版のスクリーンを被印刷物に押し付けながら印刷ペーストをスクリーンを介して被印刷物に塗布するものがあるが、このようなスクリーン印刷において印刷をきれいに行うためには、横移動するスキージの後側のスクリーンをスキージの移動とともに被印刷物から円滑に離さなければならない。つまり、版離れ性を良くしなければならない。このため、スクリーン版と被印刷物とのクリアランスを大きくして印刷時に生じるスクリーンの張力を拡大することが行われているが、これによってスクリーン版の寿命を縮めたり、印刷精度を悪化させてしまうことがあった。
【０００３】
一方、できるだけクリアランスを大きくせずに版離れ性を良くするために、スキージの移動に連動してスクリーンの刷り始め側だけを上昇させる技術がある（例えば特許文献１参照）。
【特許文献１】特開平９−３１４８０２号公報
【発明の開示】
【発明が解決しようとする課題】
【０００４】
しかしながら、上記の技術は、スキージの移動に連動してスクリーンの刷り始め側だけを上昇させるため、印刷中にクリアランスが大きく変化し、印刷寸法に歪みが生じるという問題があった。
【０００５】
したがって、本発明は、スクリーン版と被印刷物とのクリアランスを大きくすることなく版離れ性を向上させることができ、しかも印刷精度をさらに向上させることができるスクリーン印刷方法の提供を目的とする。
【課題を解決するための手段】
【０００６】
上記目的を達成するために、請求項１に係る発明は、版枠の内側にスクリーンを設けたスクリーン版を被印刷物の上側に間隔をあけて配置し、横移動するスキージによって前記スクリーンを前記被印刷物に押し付けながら印刷ペーストを前記スクリーンを介して前記被印刷物に塗布するスクリーン印刷方法において、前記スクリーン版の前記版枠を前記スキージの横移動方向における刷り始め側に対し刷り終わり側が下側となるように前記被印刷物に対し傾斜させて配置し、前記スキージの横移動に連動して前記スクリーン版を、前記版枠の前記傾斜を維持した状態で前記被印刷物から離間させることを特徴としている。
【０００７】
また、請求項２に係る発明は、請求項１に係る発明において、前記スキージの横移動方向における刷り始めの位置と刷り終わりの位置とで、前記スキージが離れた状態において前記スクリーンと前記被印刷物との離間距離が等しくなるように前記スクリーン版を前記被印刷物から離間させることを特徴としている。
【発明の効果】
【０００８】
請求項１に係る発明によれば、スクリーン版の版枠をスキージの移動方向における刷り始め側に対し刷り終わり側が下側となるように被印刷物に対し傾斜させて配置し、スキージの横移動に連動してスクリーン版を、版枠の前記傾斜を維持した状態で被印刷物から離間させる。これにより、常にスクリーン版の刷り始め側を刷り終わり側に対し上側に位置させるように傾斜させた状態にできるため、スクリーン版と被印刷物とのクリアランスを大きくすることなく版離れ性を向上させることができる。その結果、スクリーン版の寿命を増大させることができ、印刷精度を向上させることができる。また、スクリーン版の版枠を傾斜させて配置しそのままの状態で被印刷物から離間させれば良いため、特殊なスクリーン版が不要であり、版コストを高くすることがない。しかも、スクリーン版の版枠の傾斜をそのままでスキージの横移動に連動して上昇させるため、スキージの各横移動位置においてスキージがないと仮定したときのスクリーンと被印刷物とのクリアランスの変化を少なくでき、その結果、印刷精度をさらに向上させることができる。
【０００９】
スキージの横移動方向における刷り始めの位置と刷り終わりの位置とで、スキージが離れた状態においてスクリーンと被印刷物との離間距離が等しくなるようにスクリーン版を被印刷物から離間させるため、スキージの各横移動位置においてスキージがないと仮定したときのスクリーンと被印刷物とのクリアランスを一定に保つことが可能となり、その結果、印刷精度をさらに向上させることができる。
【発明を実施するための最良の形態】
【００１０】
本発明の一実施形態のスクリーン印刷方法を図面を参照して以下に説明する。
【００１１】
図１は、本実施形態で用いられるスクリーン版１１を示すものである。スクリーン版１１は、四つの直線状の辺部１２〜１５が隣り合うもの同士直交し全体として四角枠状をなすように連結されて構成される金属製の版枠１６と、版枠１６の内側に張られる金属製または合成樹脂製のスクリーンメッシュ（スクリーン）１７とを有しており、このスクリーンメッシュ１７の中間部に文字、図柄等の所定の印刷パターンを有するパターン形成部１８が形成されている。ここで、スクリーンメッシュ１７は版枠１６の下面１６ａに貼り付けられている。
【００１２】
図２は、スクリーン版１１が取り付けられる印刷装置２２を概略的に示すものである。印刷装置２２は、被印刷物である板状の基材２３が上面２５ａに水平に載置されるテーブル２５と、テーブル２５に設けられるとともにスクリーン版１１を支持する支持部２７をテーブル２５より上側位置において昇降させる昇降部２８と、テーブル２５に対し昇降しまた刷り始め側（図２における左側）から刷り終わり側（図２における右側）まで横移動するスキージ２９と、昇降部２８およびスキージ２９の移動等を制御する図示略の制御部とを有している。
【００１３】
そして、スクリーン版１１を版枠１６において印刷装置２２の支持部２７に支持させる。この状態でスクリーン版１１は基材２３の上側に基材２３に対し間隔をあけて配置されることになる。
【００１４】
ここで、本実施形態においては、支持部２７にスクリーン版１１をその版枠１６が水平つまり基材２３の上面２３ａに対し所定角度αをなす傾斜状態で支持する。具体的に、印刷装置２２は支持部２７でスクリーン版１１の版枠１６を支持する際に、所定の対向する辺部１２，１４をスキージ２９の横移動方向に対し直交する水平方向に沿わせ、しかも版枠１６をスキージ２９の移動方向における刷り始め側の辺部１２に対し刷り終わり側の辺部１４が所定量下側となるように支持する。なお、このとき、刷り終わり側の辺部１４の下端部が基材２３の上面２３ａと同じ高さになるようにする。以上により、スクリーンメッシュ１７も版枠１６と同様に水平つまり基材２３の上面２３ａに対し所定角度αで傾斜することになり、スクリーン版１１の全体としても水平つまり基材２３の上面２３ａに対し所定角度αで傾斜することになる。
【００１５】
この状態で、印刷装置２２は、以下のように動作する。
【００１６】
まず、制御部は、図２に示すようにスクリーンメッシュ１７よりも上側にあって横移動方向における所定の刷り始め位置にあるスキージ２９を、図３に示すように鉛直に下降させることで、スキージ２９によりスクリーン版１１のスクリーンメッシュ１７を基材２３の上面２３ａの横移動方向における上記した刷り始め位置に押し付ける。ここで、図２に示すスキージ２９がスクリーンメッシュ１７から離れた状態にあるとき、横移動方向における上記した刷り始め位置のスクリーンメッシュ１７と基材２３との離間距離を所定値Ａとしかつスクリーンメッシュ１７を水平つまり基材２３の上面２３ａに対し上記所定角度αで傾斜させる位置に支持部２７は位置している。
【００１７】
図３に示すように、スキージ２９によりスクリーンメッシュ１７を基材２３の上面２３ａに上記した刷り始め位置において押し付けた状態から、制御部は、スキージ２９を高さはそのままで刷り終わり側（図３等における右側）に所定の一定速度で、図４に示す状態となるように横移動させる。これよってスキージ２９でスクリーンメッシュ１７を基材２３の上面２３ａに押し付けながらインクやハンダペースト等の印刷ペースト３２をスクリーンメッシュ１７を介して基材２３の上面２３ａに塗布する。つまり、基材２３の上面２３ａに印刷を行う。
【００１８】
ここで、上記した図３から図４までのスキージ２９の横移動時に、制御部は、この横移動の開始と同時にこの横移動に連動させて昇降部２８により支持部２７を、スクリーン版１１の版枠１６が上記した傾斜（所定角度α）を維持した状態のまま鉛直上方に所定の一定速度で上昇つまり基材２３から離間するように移動させる。
【００１９】
制御部は、最終的にスキージ２９の横移動を図４に示す所定の刷り終わり位置で停止させると同時に昇降部２８の上昇を停止させ、その後、図５に示すように、スキージ２９を鉛直に上昇させることで、スクリーンメッシュ１７を基材２３から離すとともにスキージ２９をスクリーンメッシュ１７から離す。
【００２０】
ここで、昇降部２８の停止後、図５に示すスキージ２９がスクリーンメッシュ１７から離れた状態にあるとき、スキージ２９の横移動方向における上記した刷り終わり位置のスクリーンメッシュ１７と基材２３との離間距離Ｂが上記した所定値Ａと等しくなるように制御部は支持部２７つまりスクリーン版１１の版枠１６をスキージ２９の横移動に連動して一定速度で上昇させることになる。つまり、スキージ２９をスクリーンメッシュ１７から離した状態のまま上記と同様に横移動させたと仮定した場合に、スキージ２９の各横移動位置におけるスクリーンメッシュ１７と基材２３との離間距離が一定になるように、制御部はスキージ２９および昇降部２８を制御する。
【００２１】
以上に述べた本実施形態によれば、スクリーン版１１の版枠１６をスキージ２９の移動方向における刷り始め側に対し刷り終わり側が下側となるように水平つまり基材２３の上面２３ａに対し所定角度αで傾斜させて配置し、スキージ２９の横移動に連動してスクリーン版１１を、版枠１６の傾斜角度αを維持した状態で上昇させて基材２３から離間させる。これにより、常にスクリーン版１１の刷り始め側を刷り終わり側に対し上側に位置させるように所定角度αで傾斜させた状態にできるため、スクリーン版１１と基材２３とのクリアランス（所定値Ａ，Ｂ）を大きくすることなく版離れ性を向上させることができる。その結果、スクリーン版１１の寿命を増大させることができ、印刷精度を向上させることができる。
【００２２】
また、スクリーン版１１の版枠１６を傾斜させて配置しそのままの状態で基材２３から離間させれば良いため、特殊なスクリーン版が不要であり、版コストを高くすることがない。
【００２３】
しかも、スキージ２９の横移動方向における刷り始めの位置と刷り終わりの位置とで、スキージ２９が離れた状態においてスクリーンメッシュ１７と基材２３との離間距離が等しくなるようにスクリーン版１１を一定速度で基材２３から離間させるため、一定速度で横移動するスキージ２９の各横移動位置においてスキージ２９がないと仮定したときのスクリーンメッシュ１７と基材２３とのクリアランスを一定に保つことになり、その結果、印刷精度をさらに向上させることができる。
【００２４】
なお、以上の実施形態においては、一定位置にある基材２３に対しスクリーン版１１を上昇させる場合を例にとり説明したが、基材２３とスクリーン版１１との相対関係が上記と同様であれば、一定位置に傾斜状態に保持されたスクリーン版１１に対し基材２３を下降させるようにしても良く、この場合、基材２３を載置させるテーブル２５とともにスキージ２９も、テーブル２５に対し上記位置関係を満足するように下降させることになる。
【図面の簡単な説明】
【００２５】
【図１】本発明の一実施形態のスクリーン印刷方法で用いられるスクリーン版を示すもので、（ａ）は平面図、（ｂ）は正断面図である。
【図２】本発明の一実施形態のスクリーン印刷方法で用いられるスクリーン版および印刷装置を概略的に示す正面図であって、スキージがスクリーンメッシュよりも上側にあって横移動方向における刷り始め位置にある状態を概略的に示す正面図である。
【図３】本発明の一実施形態のスクリーン印刷方法で用いられるスクリーン版および印刷装置を概略的に示す正面図であって、スキージがスクリーンメッシュを基材に押し付けるとともに横移動方向における刷り始め位置にある状態を概略的に示す正面図である。
【図４】本発明の一実施形態のスクリーン印刷方法で用いられるスクリーン版および印刷装置を概略的に示す正面図であって、スキージがスクリーンメッシュを基材に押し付けるとともに横移動方向における刷り終わり位置にある状態を概略的に示す正面図である。
【図５】本発明の一実施形態のスクリーン印刷方法で用いられるスクリーン版および印刷装置を概略的に示す正面図であって、スキージがスクリーンメッシュよりも上側にあって横移動方向における刷り終わり位置にある状態を概略的に示す正面図である。
【符号の説明】
【００２６】
１１  スクリーン版
１６  版枠
１７  スクリーンメッシュ（スクリーン）
２３  基材（被印刷物）
２９  スキージ
３２  印刷ペースト
【図１】
2006123327.tif 000003
【図２】
2006123327.tif 000004
【図３】
2006123327.tif 000005
【図４】
2006123327.tif 000006
【図５】
2006123327.tif 000007